(57)【特許請求の範囲】
【請求項１】
化粧パネルの中央に設けた吸込口に、前記化粧パネルに軸支するＬ字状リンクに一側が支承された開閉自在な吸込グリルを設け、同吸込グリルの他側に、相対向する前記吸込口の端面に平行な方向に回動し弾性部材により付勢される係止爪を設け、前記化粧パネルにガイド壁を有するとともに上端に係止部を備えた係止孔を設けて、前記係止爪を前記係止部に係止することにより前記吸込グリルを前記化粧パネルに着装してなる天井埋込型空気調和機において、
前記吸込グリルに、前記係止爪の基端部を軸支するとともに、前記係止孔のガイド壁により案内される側壁を備えた略矩形状の固定具を設けてなることを特徴とする天井埋込型空気調和機。
【請求項２】
前記ガイド壁と、同ガイド壁に案内される前記固定具の側壁とを下方に開拡するテーパ状に形成し、前記吸込グリルを前記化粧パネルに着装する際、前記固定具の側壁が前記ガイド壁に案内されることにより前記吸込グリルが押圧されて、前記吸込口との間に均一な隙間を有する位置に着装されてなることを特徴とする請求項１に記載の天井埋込型空気調和機。
【請求項３】
前記係止孔のガイド壁を傾斜角のない垂直壁として形成する一方、前記固定具の側壁を下方に開拡するテーパ状に形成し、前記吸込グリルを前記化粧パネルに着装する際、前記ガイド壁が前記側壁を点接触で案内されることにより前記吸込グリルが押圧されて、前記吸込口との間に均一な隙間を有する位置に着装されてなることを特徴とする請求項１に記載の天井埋込型空気調和機。
【請求項４】
前記ガイド壁に、別部材で構成されるガイド片を螺着して同ガイド片を前後動自在に支持し、同ガイド片が前記ガイド壁に案内されることにより、前記吸込グリルが、前記吸込口との間に均一な隙間を有する位置に着装されてなることを特徴とする請求項１に記載の天井埋込型空気調和機。
【請求項５】
前記固定具を、相対向する前記吸込口の端面に垂直な方向に慴動自在に支持する一方、前記吸込グリルの前記固定具の側壁と対向する側に、前記固定具を押圧する押圧用ネジを螺着した保持板を立設して、前記押圧ネジが前記固定具を任意の位置に移動させることを特徴とする請求項１に記載の天井埋込型空気調和機。
【発明の詳細な説明】
【０００１】
【発明の属する技術分野】
本発明は、天井埋込型空気調和機に係わり、より詳細には、化粧パネルの吸込口に一側が支承されるとともに、他側に前記化粧パネルの係止部に係止する係止爪を備えて下方に開閉自在に支持される吸込グリルに、前記係止爪の応力負荷によるガタ付き発生等を防止する固定具を設けた構造に関する。
【０００２】
【従来の技術】
従来の、天井埋込型空気調和機の吸込グリル開閉機構は、例えば図６に示すような構成となっている。図６で示すように化粧パネル３０の中央部の吸込口には一側を支承され、他側に係止部３３に係合する係止爪３５を備えた吸込グリル３１が設けられている。前記係止爪３５は軸３６により回動自在に軸支されるとともに、バネ機構により前記係止部３３側へ付勢されており、前記吸込グリル３１を回動させて前記係止爪３５を前記係止部３３に係合することにより前記吸込グリル３１は前記化粧パネル３０に着装されるようになっている。
【０００３】
前記係止爪３５の先端部側面３５ａはテーパ状に形成され前記化粧パネル３０の前記係止部３３を設けた係止孔３２の内壁３４も前記係止爪３５の先端部側面３５ａの形状に対応してテーパ状に形成されており、前記吸込グリル３１が前記化粧パネル３０に着装される際、前記内壁３４が前記係止爪３５の先端部側面３５ａに当接するとともに、前記吸込グリル３１が支承された一側方向に押圧して、前記吸込グリル３１の着装位置の修正を行い前記化粧パネル３０と前記吸込グリル３１間に形成される隙間の均一化をはかり、不均一な隙間が形成されてシール性が低下し露付が発生したり、また外観意匠性が悪化する等の不具合を防止している。
【０００４】
しかしながら、上記構成の吸込グリル開閉機構においては、前記係止爪３５が前記内壁３４により繰り返し押圧されて応力を受けることにより、前記軸３６と前記係止爪３５との間にガタ付きが発生したり、また前記係止爪３５が損傷を受け前記吸込グリル３１の着装位置修正に支障が生じる恐れがあり、その改善が要望されていた。
【０００５】
【発明が解決しようとする課題】
本発明は上記問題点に鑑み、吸込グリルを化粧パネルに着装する際、吸込グリルに軸支された係止爪にガイド壁による応力が掛からないようにして、係止爪と軸との間のガタ付発生や係止爪の損傷を防止する一方、吸込グリルの化粧パネルへの着装位置修正を行うことのできる吸込グリルの開閉機構を提供することを目的とする。
【０００６】
【課題を解決するための手段】
本発明は上記課題を解決するため、化粧パネルの中央に設けた吸込口に、前記化粧パネルに軸支するＬ字状リンクに一側が支承された開閉自在な吸込グリルを設け、同吸込グリルの他側に、相対向する前記吸込口の端面に平行な方向に回動し弾性部材により付勢される係止爪を設け、前記化粧パネルにガイド壁を有するとともに上端に係止部を備えた係止孔を設けて、前記係止爪を前記係止部に係止することにより前記吸込グリルを前記化粧パネルに着装してなる天井埋込型空気調和機において、
前記吸込グリルに、前記係止爪の基端部を軸支するとともに、前記係止孔のガイド壁により案内される側壁を備えた略矩形状の固定具を設けた構成となっている。
【０００７】
また、前記ガイド壁と、同ガイド壁に案内される前記固定具の側壁とを下方に開拡するテーパ状に形成し、前記吸込グリルを前記化粧パネルに着装する際、前記固定具の側壁が前記ガイド壁に案内されることにより前記吸込グリルが押圧されて、前記吸込口との間に均一な隙間を有する位置に着装される構成となっている。
【０００８】
また、前記係止孔のガイド壁を傾斜角のない垂直壁として形成する一方、前記固定具の側壁を下方に開拡するテーパ状に形成し、前記吸込グリルを前記化粧パネルに着装する際、前記ガイド壁が前記側壁を点接触で案内されることにより前記吸込グリルが押圧されて、前記吸込口との間に均一な隙間を有する位置に着装される構成となっている。
【０００９】
また、前記ガイド壁に、別部材で構成されるガイド片を螺着して同ガイド片を前後動自在に支持し、同ガイド片が前記ガイド壁に案内されることにより、前記吸込グリルが、前記吸込口との間に均一な隙間を有する位置に着装される構成となっている。
【００１０】
更に、前記固定具を、相対向する前記吸込口の端面に垂直な方向に慴動自在に支持する一方、前記吸込グリルの前記固定具の側壁と対向する側に、前記固定具を押圧する押圧用ネジを螺着した保持板を立設して、前記押圧ネジが前記固定具を任意の位置に移動させる構成となっている。
【００１１】
【発明の実施の形態】
以下、本発明の実施の形態を、添付図面に基づいた実施例として詳細に説明する。
図１は本発明による天井埋込型空気調和機を示す全体断面図及び吸込グリルの外観斜視図であり、図２〜図４はその要部断面図、要部外観斜視図及び要部分解斜視図である。
まず第一の実施例を示す。図１（Ａ）の全体断面図で示すように、天井埋込型空気調和機１は天井面内部に埋設される本体２内に熱交換器９と、モータ７と、同モータ７に駆動される送風ファン８とを備え、前記本体２の下端に天井面４０を覆うように化粧パネル３を配している。同化粧パネル３の中央部の吸込口５には裏面にフィルタ６を装着した吸込グリル４が開閉自在に支承されており、また前記化粧パネル３の周縁には風向変更板１１を備えた吹出口１０が設けられている。
【００１２】
前記吸込口５から吸込まれた室内の空気は前記フィルタ６により塵埃が除去され清浄化された後、前記モータ７により駆動される送風ファン８により径方向に送りだされ前記本体２内の周囲に設けられた前記熱交換器９を通過して同熱交換器９を循環する冷媒と熱交換を行い冷却されて冷気となる。冷気となった室内空気は前記吸込グリル４に設けられた前記吹出口１０から前記風向変更板１１により送風方向を変更されて室内に送出される。
【００１３】
前記吸込グリル４の一側には図１（Ｂ）の外観斜視図に示すように、前記化粧パネル３の内部に設けられた複数の支軸部３ａにより一端を回動自在に軸支される二股状に形成され断面が略Ｌ字状のＬ字状リンク１２の他端が固着されており、同Ｌ字状リンク１２が前記支軸部３ａを軸芯として回動することにより前記吸込グリル４は前記化粧パネル３に開閉自在に支承されている。定期的に前記吸込グリル４を開放して塵埃が付着した前記フィルタ６の交換を行うことにより常に清浄な空気を室内に供給できるようになっている。
【００１４】
前記吸込グリル４の支承された一側に対向する他側には図２（Ａ）の要部断面図に示すように固定具１４が設けられており、また同固定具１４内には軸１６により基端部を回動自在に支持されるとともに弦巻バネ１５により付勢される保持部材１３が設けられている。同保持部材１３の上端には前記化粧パネル３に穿設された係止孔３ｃに挿通して同係止孔３ｃの上端縁に形成された係止部３ｂに係止する係止爪１３ａが設けられるとともに、下端には前記吸込グリル４を前記化粧パネル３から開放する際、上方に押圧して前記弦巻バネ１５により付勢されている前記係止爪１３ａを前記係止部３ｂから抜脱する押上ピン１３ｂが設けられている。図２（Ｂ）は前記固定具１４と、前記保持部材１３と、前記弦巻バネ１５の形状を示す要部分解斜視図である。
【００１５】
前記固定具１４は図３（Ａ）で示すように側壁１４ａが下方に開拡するテーパ状に形成されており、また前記係止孔３ｃの前記側壁１４ａに対応するガイド壁３ｄも下方に開拡するテーパ状に形成されている。
【００１６】
次に、本発明による天井埋込型空気調和機の、前記吸込グリル４の動作について説明をする。前記フィルタ６の交換等により開放された前記吸込グリル４を上方に回動させ前記化粧パネル３に着装する際、前記固定具１４の前記側壁１４ａが前記ガイド壁３ｄに当接して前記固定具１４を案内することにより、前記吸込グリル４は押圧され、図３（Ｂ）で示すように、その位置が修正されながら前記吸込口５との隙間が均一となるように前記化粧パネル３への着装が行われる。着装位置修正が前記吸込グリル４に固着された前記固定具１４で行なわれ前記係止爪１３ａには従来例で説明したような応力が掛からない構成より前記軸１６と前記係止爪１３ａ間とのガタ付発生や、それに伴う前記吸込グリル４の着装位置ズレ等を防止することができる。
【００１７】
第二の実施例は図４（Ａ）及び図４（Ｂ）で示すように、前記固定具１４の側壁１４ａは下方に開角するテーパ状に形成される一方、前記化粧パネル３の前記係止孔３ｃのガイド壁３ｅは傾斜角のない垂直壁として形成し、前記ガイド壁３ｅが前記側壁１４ａを点接触で案内しながら前記吸込グリル４を押圧して、前記化粧パネル３への着装位置の修正を行なう構成となっている。
【００１８】
第三の実施例は図５（Ａ）で示すように、前記ガイド壁３ｄを内部に中空部を有する平板状のガイド片１８として別部材で構成し、前記係止孔３ｃの内壁１７に穿設したネジ孔１７ａに、先端のプレート１９ａを前記ガイド片１８の中空部に遊嵌するネジ１９を螺着して。同ネジ１９により前記ガイド片１８の位置を調整できるようになっている。また第四の実施例は図５（Ｂ）で示すように、前記固定具１４をガイド具２０により前後に慴動自在に支持するとともに、前記固定具１４の前記側壁に対向する位置に、押圧ネジ２２を螺着した保持板２１を設け、前記押圧ネジ２２の先端部で前記固定具１４を押圧して、前記固定具１４を任意の位置に移動させることができる構成となっている。
【００１９】
【発明の効果】
以上説明したように、本発明によると、吸込グリルに係止部材を回動自在に軸支する固定具を設け、また同固定具の側壁と、同側壁をガイドする化粧パネルに穿設された係止孔のガイド壁とを下方に開拡するテーパ状に形成し、前記吸込グリルを前記化粧パネルに着装する際、前記ガイド壁が前記固定具の側壁を押圧して前記吸込グリルの着装位置の修正を行うことにより前記吸込グリルが適正な位置に着装するとともに、前記係止爪に負荷が掛からないようにして同係止爪へのガタ付発生等を防止することのできる天井埋込型空気調和機となる。
【図面の簡単な説明】
【図１】（Ａ）は本発明による天井埋込型空気調和機の全体断面図である。
（Ｂ）は吸込グリルの開閉を示す外観斜視図である。
【図２】（Ａ）は吸込グリルの化粧パネルへの係止を示す要部断面図である。
（Ｂ）は係止部材及び固定具を示す分解斜視図である。
【図３】（Ａ）は吸込グリルが化粧パネルに着装される前の状態を示す要部断面図である。
（Ｂ）は吸込グリルが化粧パネルに着装された状態を示す要部断面図である。
【図４】（Ａ）は本発明の第二の実施例による吸込グリルが化粧パネルに着装される前の状態を示す要部断面図である。
（Ｂ）は本発明の第二の実施例による吸込グリルが化粧パネルに着装された状態を示す要部断面図である。
【図５】（Ａ）は本発明による第三の実施例を示す図である。
（Ｂ）は本発明による第四の実施例を示す図である。
【図６】従来例による吸込グリルと化粧パネルとを示す要部断面図である。
【符号の説明】
１  天井埋込型空気調和機
２  本体
３  化粧パネル
３ａ  支軸部
３ｂ  係止部
３ｃ  係止孔
３ｄ  ガイド壁
３ｅ  ガイド壁
４  吸込グリル
５  吸込口
６  フィルタ
７  モータ
８  送風ファン
９  熱交換器
１０  吹出口
１１  風向変更板
１２  Ｌ字状リンク
１３  保持部材
１３ａ  係止爪
１３ｂ  押上ピン
１４  固定具
１４ａ  側壁
１５  弦巻バネ
１６  軸
１７  内壁
１７ａ  ネジ孔
１８  ガイド片
１９  ネジ
１９ａ  プレート
２０  ガイド具
２１  保持板
２２  ネジ
【図１】
0004395990.tif 000002
【図２】
0004395990.tif 000003
【図３】
0004395990.tif 000004
【図４】
0004395990.tif 000005
【図５】
0004395990.tif 000006
【図６】
0004395990.tif 000007